(57)【特許請求の範囲】
【請求項１】
有機ＥＬパネルと、楕円リフレクタと、蛍光体と、レーザとを含み、
前記有機ＥＬパネルは、
基板と、有機ＥＬ素子とを含み、
前記基板は、外部から光が入射される少なくとも一つの入射部を含み、
前記楕円リフレクタは、その第１焦点に前記蛍光体が配置され、かつ、その第２焦点に前記基板の前記入射部が位置するように、前記有機ＥＬパネル外部に配置され、
前記レーザは、前記蛍光体にレーザ光を照射可能なように前記有機ＥＬパネル外部に配置され、
前記蛍光体の発光が、前記入射部から前記基板に入射され、
前記基板に入射された前記蛍光体の発光が、前記基板の面方向に広がることを特徴とする有機ＥＬ装置。
【請求項２】
前記有機ＥＬパネルが、
第１基板と、第２基板と、シール層と、前記有機ＥＬ素子とを有し、
前記第１基板の一方の表面は、１以上の前記有機ＥＬ素子が配置された実装表面であり、
前記第１基板および前記第２基板は、前記シール層を介して、前記第１基板の実装表面と前記第２基板の一方の表面とが対向するように積層され、
前記シール層は、前記第１基板と前記第２基板とが対向する端部全域において、前記第１基板と前記第２基板との隙間をシールし、
前記第１基板および前記第２基板の少なくとも一方が、前記入射部を有する、請求項１記載の有機ＥＬ装置。
【請求項３】
前記第１基板および前記第２基板の少なくとも一方は、前記第１基板および前記第２基板の少なくとも一方の側面の角部に前記入射部を有する、請求項２記載の有機ＥＬ装置。
【請求項４】
二つ以上の前記入射部を有し、
前記第１基板および前記第２基板の少なくとも一方の異なる角部に、前記各入射部を有する、請求項２または３記載の有機ＥＬ装置。
【請求項５】
前記第１基板および前記第２基板の少なくとも一方が、ガラス基板である、請求項２から４のいずれか一項に記載の有機ＥＬ装置。
【請求項６】
前記有機ＥＬ素子が、有機ＥＬ層と一対の電極とを有する、請求項１から５のいずれか一項に記載の有機ＥＬ装置。
【請求項７】
前記有機ＥＬ素子が、有機ＥＬ層と一対の電極とを有し、
前記有機ＥＬ素子は、前記一対の電極のうちの一方の電極層と、前記有機ＥＬ層と、前記一対の電極のうちの他方の電極層とが、この順序で積層された積層体であり、かつ、前記第１基板側の電極層が、透明電極であり、
前記第１基板が、前記入射部を有する、請求項２から５のいずれか一項に記載の有機ＥＬ装置。
【請求項８】
前記有機ＥＬ素子が、有機ＥＬ層と一対の電極とを有し、
前記有機ＥＬ素子は、前記一対の電極のうちの一方の電極層と、前記有機ＥＬ層と、前記一対の電極のうちの他方の電極層とが、この順序で積層された積層体であり、かつ、前記第２基板側の電極層が、透明電極であり、
前記第２基板が、前記入射部を有する、請求項２から５のいずれか一項に記載の有機ＥＬ装置。
【発明の詳細な説明】
【技術分野】
【０００１】
本発明は、有機ＥＬ装置に関する。
【背景技術】
【０００２】
有機ＥＬ（Ｏｒｇａｎｉｃ  Ｅｌｅｃｔｒｏ−Ｌｕｍｉｎｅｓｃｅｎｃｅ）パネルは、有機ＥＬ素子（有機ＥＬ層）を備えた自発光パネルであり、例えば、照明装置、光源、表示装置等として利用可能なものである。有機ＥＬパネルの発光色は、有機ＥＬ層（発光層）の材料によって決定されるため、有機ＥＬパネルとして使用する時点で、すでに固定されていることになる。このため、有機ＥＬパネルの発光色をユーザーが調整（調色）することは、一般的に、不可能であった。【０００３】
そこで、ＲＧＢ（赤緑青）に塗り分けた有機ＥＬ層を形成し、ＲＧＢの発光強度のバランスを取ることで、色の調整を行う有機ＥＬパネルが提案されている（特許文献１）。
【先行技術文献】
【特許文献】
【０００４】
【特許文献１】特開平２−４４３９２号公報
【発明の概要】
【発明が解決しようとする課題】
【０００５】
しかし、前述のＲＧＢ塗り分け構造では、ＲＧＢを塗り分ける必要があるため、開口率が制限され、有機ＥＬパネルの発光面から放射される光束を多くできないという課題がある。また、光束を向上するには、駆動する電流を大きくすることが考えられるが、それに伴い寿命が短縮してしまう。【０００６】
そこで、本発明は、例えば、ユーザーによっても有機ＥＬパネルの調色が可能な新たな有機ＥＬ装置を提供することを目的とする。
【課題を解決するための手段】
【０００７】
前記目的を達成するために、本発明の有機ＥＬ装置は、
有機ＥＬパネルと、楕円リフレクタと、蛍光体と、レーザとを含み、
前記有機ＥＬパネルは、
基板と、有機ＥＬ素子とを含み、
前記基板は、外部から光が入射される少なくとも一つの入射部を含み、
前記楕円リフレクタは、その第１焦点に前記蛍光体が配置され、かつ、その第２焦点に前記基板の前記入射部が位置するように、前記有機ＥＬパネル外部に配置され、
前記レーザは、前記蛍光体にレーザ光を照射可能なように前記有機ＥＬパネル外部に配置され、
前記蛍光体の発光が、前記入射部から前記基板に入射され、
前記基板に入射された前記蛍光体の発光が、前記基板の面方向に広がることを特徴とする。
【発明の効果】
【０００８】
本発明によれば、例えば、ユーザーによっても有機ＥＬパネルの調色が可能な新たな有機ＥＬ装置を提供することができる。
【図面の簡単な説明】
【０００９】
【図１】図１（Ａ）は、実施形態１の有機ＥＬ装置の構成の一例を示す平面図であり、図１（Ｂ）は、図１（Ａ）に示す有機ＥＬ装置の有機ＥＬパネルについて、側面から見た側面図である。
【図２】図２（Ａ）および（Ｂ）は、図１（Ａ）および（Ｂ）に示す有機ＥＬ装置における光の伝わり方を説明する図である。
【図３】図３は、実施形態２の有機ＥＬ装置の構成の一例を示す平面図である。
【図４】図４は、実施形態３の有機ＥＬ装置の構成の一例を示す側面図である。
【発明を実施するための形態】
【００１０】
以下、本発明の有機ＥＬ装置について、図面を参照して詳細に説明する。ただし、本発明は、以下の説明に限定されない。なお、以下の図１から図４において、同一部分には、同一符号を付し、その説明を省略する場合がある。また、図面においては、説明の便宜上、各部の構造は適宜簡略化して示す場合があり、各部の寸法比等は、実際とは異なり、模式的に示す場合がある。
【００１１】
［実施形態１］
本実施形態は、基板が、入射部を一つ有する有機ＥＬ装置の一例である。図１に、本実施形態の有機ＥＬ装置を示す。図１（Ａ）は、本実施形態の有機ＥＬ装置の構成の一例を示す平面図であり、図１（Ｂ）は、図１（Ａ）に示す有機ＥＬ装置の有機ＥＬパネルについて、側面から見た側面図である。図１（Ａ）および（Ｂ）に示すように、本実施形態の有機ＥＬ装置１０は、有機ＥＬパネル１６と、楕円リフレクタ３１と、蛍光体３２と、レーザ５１とを含む。有機ＥＬパネル１６は、基板１１と、有機ＥＬ素子１３とを含む。基板１１は、外部から光が入射される少なくとも一つの入射部１５を含む。楕円リフレクタ３１は、その第１焦点に蛍光体３２が配置され、かつ、その第２焦点に基板１１の入射部１５が位置するように、有機ＥＬパネル１６外部に配置されている。レーザ５１は、蛍光体３２にレーザ光５２（図３参照）を照射可能なように有機ＥＬパネル１６外部に配置されている。蛍光体３２の発光は、入射部１５から基板１１に入射され、基板１１に入射された蛍光体３２の発光は、基板１１の面方向に広がる。本実施形態の有機ＥＬ装置１０では、入射部１５は、一つである。入射部１５の詳細については、後述する。図１には、略長方形状である有機ＥＬパネル１６を例示したが、有機ＥＬパネルの形状はこの例に限定されず、例えば、略長方形状以外の略平行四辺形状（略正方形状、略菱形状を含む。）、略台形状、略五角形状、略六角形状等、略長方形状以外の略多角形状等であってもよい。
【００１２】
有機ＥＬ装置１０において、有機ＥＬパネル１６は、少なくとも一枚の基板１１と、有機ＥＬ素子１３とを含めば、その他の構成は特に制限されないが、例えば、図１に示すように、第１基板１１と、第２基板１２と、シール層１４と、有機ＥＬ素子１３とを有していてもよい。図１に示す例では、第１基板１１の一方の表面は、１以上の有機ＥＬ素子１３が配置された実装表面である。第１基板１１および第２基板１２は、シール層１４を介して、第１基板１１の実装表面と第２基板１２の一方の表面とが対向するように積層されている。シール層１４は、第１基板１１と第２基板１２とが対向する端部全域において、第１基板１１と第２基板１２との隙間をシールする。
【００１３】
楕円リフレクタ３１とは、例えば、回転楕円体の２つの焦点のうちの一方の焦点（第１焦点）を含むように、前記回転楕円体の部分面に相当する内面形状を有し、内面が鏡面であって、前記第１焦点に配置された蛍光体３２の発光を、他方の焦点（第２焦点）に集光する機能を有するものである。楕円リフレクタ３１としては、従来公知のものを利用可能である。
【００１４】
蛍光体３２としては、例えば、蛍光体方式のＬＥＤ（Ｌｉｇｈｔ  Ｅｍｉｔｔｉｎｇ  Ｄｉｏｄｅ、発光ダイオード）において、青色ＬＥＤまたは紫外線ＬＥＤの発光で励起され発光する蛍光体等と同様のものを利用可能であり、可視光域の光として赤色光、緑色光および青色光をそれぞれ発生される赤色蛍光体、緑色蛍光体および青色蛍光体等があげられる。
【００１５】
レーザ５１は、蛍光体３２を励起可能な波長範囲のレーザ光を照射するものであればいかなるものであってもよい。
【００１６】
第１基板１１の形成材料としては、後述する有機ＥＬ素子１３および蛍光体３２の発光を外部に放射可能な透光性を有するものであればいかなるものであってもよいが、例えば、無アルカリガラス、ソーダライムガラス、硼珪酸ガラス、アルミノ珪酸ガラス、石英ガラス等のガラス；ポリエチレンナフタレート、ポリエチレンテレフタレート等のポリエステル系樹脂；等があげられ、ガラスであることが好ましい。第１基板１１の大きさ（長さおよび幅）は、特に制限されず、例えば、所望の有機ＥＬパネル１６の大きさに応じて、適宜設定すればよい。第１基板１１の厚さも、特に制限されず、その形成材料、使用環境等に応じて、適宜設定できるが、一般的には１ｍｍ以下である。
【００１７】
第１基板１１において、入射部１５の配置箇所は、特に制限されないが、図１（Ａ）に例示するように、第１基板１１の側面の角部（図１（Ａ）においては、右下の角部）であってもよい。入射部１５は、有機ＥＬパネル１６外部から蛍光体３２の発光を第１基板１１に入射可能とするものであればいかなる機構を有するものであってもよい。
【００１８】
有機ＥＬ素子１３としては、従来公知の一般的な有機ＥＬ素子を用いてよい。有機ＥＬ素子１３は、例えば、有機ＥＬ層と一対の電極とを有し、前記一対の電極のうちの一方の電極層と、前記有機ＥＬ層と、前記一対の電極のうち他方の電極層とが、この順序で積層された積層体である。前記一対の電極は、例えば、陽極層と陰極層との組合せであり、前記陽極層は、例えば、酸化インジウムスズ（ＩＴＯ）等の透明電極であり、前記陰極層は、例えば、金属等の対向電極である。前記有機ＥＬ層は、例えば、正孔注入層、正孔輸送層、有機ＥＬを含む発光層、電子輸送層、電子注入層が、順次積層された積層構造等である。図１に例示する有機ＥＬパネル１６は、例えば、ボトムエミッションタイプであり、ボトムエミッションタイプの有機ＥＬパネル１６の場合、例えば、有機ＥＬ素子１３は、第１基板１１側から、前記透明電極（陽極）と、前記有機ＥＬ層と、前記対向電極（陰極）とが、この順序で積層された積層体であることが好ましい。図１には、第１基板１１の実装表面の中央部に１つの有機ＥＬ素子１３が配置された例を示したが、本実施形態の有機ＥＬパネル１６はこの例に限定されず、第１基板１１の実装表面に複数（２以上）の有機ＥＬ素子が配置されたものであってもよい。有機ＥＬ素子１３の発光色は、特に制限されないが、例えば、有機ＥＬパネル１６が室内用一般照明に用いられる場合には、白等があげられ、有機ＥＬパネル１６がデザイン照明や自動車用照明に用いられる場合には、白、赤（Ｒ）、緑（Ｇ）、青（Ｂ）等があげられる。
【００１９】
第２基板１２は、有機ＥＬ素子１３を外気から遮断するための封止基板である。第２基板１２としては、有機ＥＬ素子１３を外気から遮断することができればいかなるものを用いてもよいが、例えば、封止ガラスを用いることができる。第２基板１２の大きさ（長さおよび幅）は、特に制限されず、例えば、第１基板１１の大きさと略同じまたは一回り小さくなるように、適宜調整すればよい。第２基板１２の厚さも、特に制限されないが、例えば、０．５〜１．０ｍｍの範囲である。
【００２０】
シール層１４は、例えば、第２基板１２の一方の面（図１（Ｂ）においては、下面）の外周縁に沿って、接着剤を塗布することで形成される。前記接着剤としては、特に制限するものではないが、例えば、ＵＶ（紫外線）硬化型樹脂等を好適に利用できる。シール層１４は、有機ＥＬ素子１３の厚さよりも若干厚く形成され、その厚さは、例えば、０．１〜１００μｍの範囲である。
【００２１】
つぎに、図２（Ａ）および（Ｂ）を用いて、図１（Ａ）および（Ｂ）に示す有機ＥＬパネルにおける光の伝わり方について説明する。前述のとおり、本実施形態の有機ＥＬ装置１０は、蛍光体３２を含む。蛍光体３２は、有機ＥＬ素子１３の発光色と異なる色の光を発する。蛍光体３２の発光色としては、有機ＥＬ素子１３の発光色と異なるものであれば特に制限されず、例えば、赤（Ｒ）、緑（Ｇ）、青（Ｂ）等のあらゆる色があげられる。
【００２２】
レーザ５１が発したレーザ光は、図２（Ａ）に実線の矢印５２で示すように、空気中を蛍光体３２に向けて進行する。蛍光体３２は、前記レーザ光によって励起され発光する。蛍光体３２の発光は、図２（Ａ）および（Ｂ）に実線の矢印３３ａで示すように、楕円リフレクタ３１内を進行し、楕円リフレクタ３１の内面で反射する。そして、前記反射した蛍光体３２の発光は、図２（Ａ）および（Ｂ）に実線の矢印３３ｂで示すように、空気中を入射部１５に向けて進行する。入射部１５に到達した蛍光体３２の発光は、第１基板１１の厚み方向においては、図２（Ｂ）に破線の矢印３３ｃで示すように、第１基板１１の下面および上面で反射を繰り返しながら第１基板１１内を進行し、第１基板１１の面方向においては、図２（Ａ）に破線の矢印３３ｃで示すように、第１基板１１の各側面で反射を繰り返しながら、面全体へと広がる。なお、図２（Ａ）では、破線の矢印３３ｃを、第１基板１１の上の側面までとしているが、実際には、蛍光体３２の発光は、第１基板１１の上の側面で更に反射され、その後も第１基板１１の各側面で反射を繰り返して、面全体へと広がっていく。面全体へと広がった蛍光体３２の発光は、図２（Ｂ）に太矢印６１で示すように、第１基板１１の他方の面（図２（Ｂ）においては、下面）から、有機ＥＬパネル１６外部の空気中へと放射される。このとき、有機ＥＬ素子１３からの発光６３が、前記発光６１と混合され、調色される。
【００２３】
本実施形態の有機ＥＬ装置１０によれば、例えば、ユーザーが、調色に必要な発光色を有する蛍光体３２を選択することにより、有機ＥＬパネル１６の発光色を調整（調色）することが可能となる。また、本実施形態の有機ＥＬ装置１０の有機ＥＬパネル１６では、開口率を制限する必要がないため、前述のＲＧＢ塗り分け構造を有する有機ＥＬパネルよりも、発光面（図２（Ｂ）における第１基板１１の下面）からの光束が多くなる。
【００２４】
また、本実施形態の有機ＥＬ装置１０によれば、楕円リフレクタ３１が、その第１焦点に蛍光体３２が配置され、かつ、その第２焦点に第１基板１１の入射部１５が位置するように、有機ＥＬパネル１６外部に配置されることにより、蛍光体３２の発光を、入射部１５に効率よく集光することが可能である。
【００２５】
さらに、本実施形態の有機ＥＬ装置１０によれば、波長帯域が狭くシャープなレーザ光５２を直接入射部１５に入射するのではなく、波長帯域に幅がありブロードな蛍光体３２の発光を入射部１５に入射させることで、利用可能な光のエネルギーを大きくすることが可能である。
【００２６】
本実施形態の有機ＥＬ装置１０は、例えば、ボトムエミッションタイプの照明装置、光源、表示装置等、幅広い用途に用いることが可能である。
【００２７】
［実施形態２］
本実施形態は、第１基板が、入射部を二つ有する有機ＥＬ装置の一例である。図３は、本実施形態の有機ＥＬ装置の構成の一例を示す平面図である。図３に示すように、本実施形態の有機ＥＬ装置２０は、第１基板１１が、さらに、第２の入射部２５を有し、また、レーザ５１、楕円リフレクタ３１および蛍光体３２に加え、第２の入射部２５近傍に配置される第２のレーザ８１、第２の楕円リフレクタ４１および第２の蛍光体４２を有する点を除き、実施形態１の有機ＥＬ装置１０と同様である。第２の入射部２５は、入射部１５と同様の形状および機構を有する。第２の入射部２５は、入射部１５と対向する角部に配置されている。ただし、本実施形態の有機ＥＬ装置２０はこの例に限定されず、第２の入射部２５の位置は、第１基板１１の側面の別の角部等であってもよい。第２の蛍光体４２は、有機ＥＬ素子１３および蛍光体３２と異なる色の光、または、有機ＥＬ素子１３および蛍光体３２のいずれかと同じ色の光を発する点以外、蛍光体３２と同様である。
【００２８】
第２のレーザ８１が発したレーザ光は、図３に実線の矢印８２で示すように、空気中を第２の蛍光体４２に向けて進行する。第２の蛍光体４２は、前記レーザ光によって励起され発光する。第２の蛍光体４２の発光は、図３に実線の矢印４３ａで示すように、楕円リフレクタ４１内を進行し、楕円リフレクタ４１の内面で反射する。そして、前記反射した第２の蛍光体４２の発光は、図３に実線の矢印４３ｂで示すように、空気中を第２の入射部２５に向けて進行する。第２の入射部２５に到達した第２の蛍光体４２の発光は、第１基板１１の面方向においては、図２（Ａ）で破線の矢印３３ｃで示したのと同様に、第１基板１１の各側面で反射を繰り返しながら、面全体へと広がる。面全体へと広がった第２の蛍光体４２の発光は、第１基板１１の他方の面から、有機ＥＬパネル２６外部の空気中へと放射される。これにより、本実施形態の有機ＥＬ装置２０によれば、第２の蛍光体４２の発光色が、有機ＥＬ素子１３および蛍光体３２と異なる色である場合、有機ＥＬ素子１３の発光色、蛍光体３２の発光色および第２の蛍光体４２の発光色の３色を混合することが可能である。一方、第２の蛍光体４２の発光色が、有機ＥＬ素子１３および蛍光体３２のいずれかと同じ色である場合、実施形態１とは異なる比率で２色の光を混合することが可能である。
【００２９】
本発明の有機ＥＬ装置の有機ＥＬパネルを、例えば、略六角形状、略八角形状等とすれば、第１基板に入射部を三つ以上設け、且つ、三つ以上のレーザおよび蛍光体を用いることで、有機ＥＬ素子の発光色に、３色以上の色を混合することも可能である。
【００３０】
［実施形態３］
本実施形態は、第２基板が、入射部を一つ有する有機ＥＬ装置の一例である。図４に、本実施形態の有機ＥＬ装置の構成の一例を示す。図４は、本実施形態の有機ＥＬ装置７０の側面図である。図４に示すように、本実施形態の有機ＥＬ装置７０の有機ＥＬパネルは、第１基板１１に代えて、第２基板１２が、入射部１５を有する点以外、実施形態１の有機ＥＬ装置１０の有機ＥＬパネル１６と同様である。図４に例示する有機ＥＬパネルは、例えば、トップエミッションタイプであり、トップエミッションタイプの有機ＥＬパネルの場合、例えば、有機ＥＬ素子１３は、第１基板１１側から、前記対向電極（陰極）と、前記有機ＥＬ層と、前記透明電極（陽極）とが、この順序で積層された積層体であることが好ましい。本実施形態の有機ＥＬ装置７０によれば、蛍光体３２の発光６１および有機ＥＬ素子１３からの発光６３を、有機ＥＬパネルの上側に放射することが可能である。本実施形態の有機ＥＬ装置７０は、例えば、トップエミッションタイプの照明装置、光源、表示装置等、幅広い用途に用いることが可能である。
【００３１】
本実施形態の有機ＥＬ装置７０においても、実施形態２における第１基板と同様に、第２基板に入射部を二つ以上設け、且つ、二つ以上のレーザおよび蛍光体を用いることで、有機ＥＬ素子の発光色に、２色以上の色を混合することが可能である。
【００３２】
実施形態１〜３では、第１基板および第２基板のいずれかが、入射部を有する有機ＥＬ装置について例を挙げて説明したが、本発明の有機ＥＬ装置は、第１基板および第２基板の双方が、入射部を有するものであってもよい。
【００３３】
以上、実施形態を参照して本発明を説明したが、本発明は、上記実施形態に限定されるものではない。本発明の構成や詳細には、本発明のスコープ内で当業者が理解しうる様々な変更をすることができる。
【００３４】
この出願は、２０１６年５月１２日に出願された日本出願特願２０１６−０９６４３３を基礎とする優先権を主張し、その開示の全てをここに取り込む。
【産業上の利用可能性】
【００３５】
本発明によれば、例えば、ユーザーによっても有機ＥＬパネルの調色が可能な新たな有機ＥＬ装置を提供することができる。本発明の有機ＥＬ装置は、例えば、ボトムエミッションタイプ、トップエミッションタイプ等の照明装置、光源、表示装置等、幅広い用途に用いることが可能である。
【符号の説明】
【００３６】
１０、２０、７０  有機ＥＬ装置
１１              第１基板
１２              第２基板
１３              有機ＥＬ素子
１４              シール層
１５、２５        入射部
１６、２６        有機ＥＬパネル
３１、４１        楕円リフレクタ
３２、４２        蛍光体
５１、８１        レーザ
【図１】
0006715323.tif 000002
【図２】
0006715323.tif 000003
【図３】
0006715323.tif 000004
【図４】
0006715323.tif 000005